(57)【要約】【課題】録画システム全体としての電力消費を抑制しつつ、例えば上記トリガ信号が入力される前の映像をも録画の対象とすることが可能な記録情報生成装置を提供する。【解決手段】カメラ１により撮像された画像を一時的に記憶するバッファメモリ２と、記憶されている画像をバッファメモリ２から読み出し、記録信号Ｓrを生成して記録媒体５に出力する画像圧縮・記録制御部４と、カメラ１及びバッファメモリ２に対して駆動電力Ｐmを常時供給する主制御系電源部１０と、画像圧縮・記録制御部４及び記録媒体５に対して駆動電力Ｐsを供給する画像処理系電源部１１と、記録信号Ｓrの生成時又は記録時にのみ駆動電力Ｐsを供給するように画像処理系電源部１１を制御するマイコン３と、を備える。【選択図】図１
2014036428.tif 000002
【特許請求の範囲】
【請求項１】
情報取得手段により取得されて入力された情報を一時的に記憶する一時記憶手段と、
前記一時的に記憶されている情報を前記一時記憶手段から読み出し、当該読み出された情報に基づいて記録媒体へ記録される記録情報を生成し、前記記録媒体へ当該記録情報を記録する記録手段に出力する生成出力手段と、
前記情報取得手段及び前記一時記憶手段に対して、当該情報取得手段及び当該一時記憶手段を駆動するための第１駆動電力を常時供給する第１電力供給手段と、
前記生成出力手段、又は前記記録手段及び前記記録媒体に対して、当該生成出力手段、又は当該記録手段及び当該記録媒体を駆動するための第２駆動電力を供給する第２電力供給手段と、
前記記録情報の生成時又は前記記録媒体への記録時にのみ、前記生成出力手段、又は前記記録手段及び前記記録媒体に対して前記第２駆動電力を供給するように前記第２電力供給手段を制御する制御手段と、
を備えることを特徴とする記録情報生成装置。
【請求項２】
請求項１に記載の記録情報生成装置において、
前記制御手段はトリガ信号が入力されたときに起動される制御手段であり、予め設定されている基準に基づいて前記記録情報の生成又は前記記録媒体への記録を行うか否かを判定し、当該生成又は記録を行うと判定された場合に、前記生成出力手段、又は前記記録手段及び前記記録媒体に対して前記第２駆動電力を供給するように前記第２電力供給手段を制御することを特徴とする記録情報生成装置。
【請求項３】
請求項１又は請求項２に記載の記録情報生成装置において、
前記一時記憶手段は、前記入力された情報を予め設定された記録時間だけ記録した後に消去することを、前記情報取得手段から連続して入力される前記情報に対して順次繰り返し、
前記生成手段は、前記記録情報を生成して記録すべきタイミングにおいて前記一時記憶手段に記憶されている前記情報を読み出して当該記録情報を生成し、前記記録手段に出力することを特徴とする記録情報生成装置。
【請求項４】
請求項３に記載の記録情報生成装置において、
前記記録時間は、前記情報取得手段により取得される前記情報の属性に基づいて予め設定されている記録時間であることを特徴とする記録情報生成装置。
【請求項５】
請求項１から請求項４のいずれか一項に記載の記録情報生成装置において、
前記情報取得手段は撮像手段であり、
前記情報は前記撮像手段により撮像された画像情報であることを特徴とする記録情報生成装置。
【請求項６】
情報取得手段により取得されて入力された情報を一時的に記憶する一時記憶手段と、前記一時的に記憶されている情報を前記一時記憶手段から読み出し、当該読み出された情報に基づいて記録媒体へ記録される記録情報を生成し、前記記録媒体へ当該記録情報を記録する記録手段に出力する生成出力手段と、前記情報取得手段及び前記一時記憶手段に対して、当該情報取得手段及び当該一時記憶手段を駆動するための第１駆動電力を供給する第１電力供給手段と、前記生成出力手段、又は前記記録手段及び前記記録媒体に対して、当該生成出力手段、又は当該記録手段及び当該記録媒体を駆動するための第２駆動電力を供給する第２電力供給手段と、を備える記録情報生成装置に含まれるコンピュータを、
前記情報取得手段及び前記一時記憶手段に対して前記第１駆動電力を常時供給するように前記第１電力供給手段を制御する第１制御手段、及び、
前記記録情報の生成時又は前記記録媒体への記録時にのみ、前記生成出力手段、又は前記記録手段及び前記記録媒体に対して前記第２駆動電力を供給するように前記第２電力供給手段を制御する第２制御手段、
として機能させることを特徴とする記録情報生成用プログラム。
【請求項７】
請求項６に記載の記録情報生成用プログラムが前記コンピュータにより読取可能に記録されていることを特徴とする情報記録媒体。
【発明の詳細な説明】
【技術分野】
【０００１】
本発明は、記録情報生成装置及び記録情報生成用プログラム並びに情報記録媒体の技術分野に属する。より詳細には、画像情報又は音声情報等の情報を記録媒体に記録する場合において、当該記録媒体に記録される記録情報を生成する記録情報生成装置、並びに当該記録情報生成装置用のプログラム及び当該プログラムが記録された情報記録媒体の技術分野に属する。
【背景技術】
【０００２】
近年、防犯又は事故防止等を目的とした映像監視システムや、車載用のドライブレコーダが一般化しつつある。これらの録画システムは、外部からの所定のトリガ信号に連動して、カメラにより撮像された画像情報を記録する構成とされている。このような背景技術の一例として、下記特許文献１に開示されているものがある。
【０００３】
このとき、下記特許文献１に開示されている技術では、カメラ及び画像情報の記録媒体が含まれている画像処理部の電源と、上記トリガ信号を外部から受信して画像処理部の電源を制御する主制御部の電源と、が切り離されている。そして通常時は主制御部だけが電源オン状態とされ、上記トリガ信号の入力時のみ、上記画像処理部の電源がオンとされる構成とされている。
【先行技術文献】
【特許文献】
【０００４】
【特許文献１】特開２００６−１３５４３５号公報
【発明の概要】
【発明が解決しようとする課題】
【０００５】
しかしながら、上記特許文献１に開示されている構成によると、外部からのトリガ信号が入力された後に、上記カメラを含む画像処理部の動作が開始されるため、当該トリガ信号が入力される前の映像を記録することができず、上記のような防犯又は事故防止等のための録画システムとしてはその目的が達成できない場合があるという問題点があった。
【０００６】
そこで、本発明は上記の問題点に鑑みて為されたもので、その課題の一例は、録画システム全体としての電力消費を抑制しつつ、例えば上記トリガ信号が入力される前の映像をも録画の対象とすることが可能な記録情報生成装置、並びに当該記録情報生成装置用のプログラム及び当該プログラムが記録された情報記録媒体を提供することにある。
【課題を解決するための手段】
【０００７】
上記の課題を解決するために、請求項１に記載の発明は、カメラ等の情報取得手段により取得されて入力された情報を一時的に記憶するバッファメモリ等の一時記憶手段と、前記一時的に記憶されている情報を前記一時記憶手段から読み出し、当該読み出された情報に基づいて記録媒体へ記録される記録情報を生成し、前記記録媒体へ当該記録情報を記録する記録手段に出力する画像圧縮・記録制御部等の生成出力手段と、前記情報取得手段及び前記一時記憶手段に対して、当該情報取得手段及び当該一時記憶手段を駆動するための第１駆動電力を常時供給する主制御系電源部等の第１電力供給手段と、前記生成出力手段、又は前記記録手段及び前記記録媒体に対して、当該生成出力手段、又は当該記録手段及び当該記録媒体を駆動するための第２駆動電力を供給する画像処理系電源部等の第２電力供給手段と、前記記録情報の生成時又は前記記録媒体への記録時にのみ、前記生成出力手段、又は前記記録手段及び前記記録媒体に対して前記第２駆動電力を供給するように前記第２電力供給手段を制御するマイコン等の制御手段と、を備える。
【０００８】
上記の課題を解決するために、請求項６に記載の発明は、カメラ等の情報取得手段により取得されて入力された情報を一時的に記憶するバッファメモリ等の一時記憶手段と、前記一時的に記憶されている情報を前記一時記憶手段から読み出し、当該読み出された情報に基づいて記録媒体へ記録される記録情報を生成し、前記記録媒体へ当該記録情報を記録する記録手段に出力する画像圧縮・記録制御部等の生成出力手段と、前記情報取得手段及び前記一時記憶手段に対して、当該情報取得手段及び当該一時記憶手段を駆動するための第１駆動電力を供給する主制御系電源部等の第１電力供給手段と、前記生成出力手段、又は前記記録手段及び前記記録媒体に対して、当該生成出力手段、又は当該記録手段及び当該記録媒体を駆動するための第２駆動電力を供給する画像処理系電源部等の第２電力供給手段と、を備える記録情報生成装置に含まれるコンピュータを、前記情報取得手段及び前記一時記憶手段に対して前記第１駆動電力を常時供給するように前記第１電力供給手段を制御する第１制御手段、及び、前記記録情報の生成時又は前記記録媒体への記録時にのみ、前記生成出力手段、又は前記記録手段及び前記記録媒体に対して前記第２駆動電力を供給するように前記第２電力供給手段を制御する第２制御手段、として機能させる。
【０００９】
上記の課題を解決するために、請求項７に記載の発明は、請求項６に記載の記録情報生成用プログラムが前記コンピュータにより読取可能に記録されている。
【００１０】
請求項１、請求項６又は請求項７のいずれか一項に記載の発明によれば、情報取得手段及び一時記憶手段に対しては第１駆動電力を常時供給すると共に、生成出力手段、又は記録手段及び記録媒体に対しては記録情報の生成時又はその記録時にのみ第２駆動電力を供給する。よって、記録情報生成装置全体としての電力消費を抑制しつつ、記録情報の生成時又は記録時以外に取得された情報をも記録の対象とすることができる。
【００１１】
上記の課題を解決するために、請求項２に記載の発明は、請求項１に記載の記録情報生成装置において、前記制御手段はトリガ信号が入力されたときに起動される制御手段であり、予め設定されている基準に基づいて前記記録情報の生成又は前記記録媒体への記録を行うか否かを判定し、当該生成又は記録を行うと判定された場合に、前記生成出力手段、又は前記記録手段及び前記記録媒体に対して前記第２駆動電力を供給するように前記第２電力供給手段を制御するように構成される。
【００１２】
請求項２に記載の発明によれば、請求項１に記載の発明の作用に加えて、トリガ信号が入力されたときに制御手段が起動されると共に、既定の基準に基づいて記録情報の生成又は記録を行うと判定された場合に生成出力手段、又は記録手段及び記録媒体に対して第２駆動電力を供給する。よって、記録情報生成装置全体としての電力消費をより確実に抑制することができる。
【００１３】
上記の課題を解決するために、請求項３に記載の発明は、請求項１又は請求項２に記載の記録情報生成装置において、前記一時記憶手段は、前記入力された情報を予め設定された記録時間だけ記録した後に消去することを、前記情報取得手段から連続して入力される前記情報に対して順次繰り返し、前記生成手段は、前記記録情報を生成して記録すべきタイミングにおいて前記一時記憶手段に記憶されている前記情報を読み出して当該記録情報を生成し、前記記録手段に出力するように構成される。
【００１４】
請求項３に記載の発明によれば、請求項１又は請求項２に記載の発明の作用に加えて、一時記憶手段において、入力された情報を既定の記録時間だけ記録した後に消去することを、連続して入力される情報に対して順次繰り返す。そして、記録情報を生成して記録すべきタイミングにおいて一時記憶手段に記憶されている情報を読み出して記録情報を生成し、記録手段に出力する。よって、一時記憶手段の記憶容量を最小限としつつ、記録情報の生成時又は記録時以外に取得された情報をも記録の対象とすることができる。
【００１５】
上記の課題を解決するために、請求項４に記載の発明は、請求項３に記載の記録情報生成装置において、前記記録時間は、前記情報取得手段により取得される前記情報の属性に基づいて予め設定されている記録時間であるように構成される。
【００１６】
請求項４に記載の発明によれば、請求項３に記載の発明の作用に加えて、記録時間が情報の属性に基づいて予め設定されている記録時間とされる。よって、記録すべき情報の属性に応じて一時記憶手段の記憶容量を最小限とすることで、記録情報生成装置全体としての小型化及び安価化を図ることができる。
【００１７】
上記の課題を解決するために、請求項５に記載の発明は、請求項１から請求項４のいずれか一項に記載の記録情報生成装置において、前記情報取得手段はカメラ等の撮像手段であり、前記情報は前記撮像手段により撮像された画像情報であるように構成される。
【００１８】
請求項５に記載の発明によれば、請求項１から請求項４のいずれか一項に記載の発明の作用に加えて、情報取得手段が撮像手段であり、情報が撮像手段により撮像された画像情報とされる。よって、記録情報生成装置全体としての電力消費を抑制しつつ、記録情報の生成時又は記録時以外に取得された画像情報をも記録の対象とすることができる。
【発明の効果】
【００１９】
本発明によれば、情報取得手段及び一時記憶手段に対しては第１駆動電力を常時供給すると共に、生成出力手段、又は記録手段及び記録媒体に対しては記録情報の生成時又はその記録時にのみ第２駆動電力を供給する。
【００２０】
従って、記録情報生成装置全体としての電力消費を抑制しつつ、記録情報の生成時又は記録時以外に取得された情報をも記録の対象とすることができる。
【図面の簡単な説明】
【００２１】
【図１】実施形態に係る画像記録システムを示す図であり、（ａ）は当該画像記録システムの概要構成を示すブロック図であり、（ｂ）は当該画像記録システムにおける画像記録動作を示すフローチャートである。
【図２】実施形態に係る画像記録システムにおける画像記録動作を示すタイミングチャートである。
【発明を実施するための形態】
【００２２】
次に、本発明を実施するための形態について、図１及び図２を用いて説明する。なお以下に説明する実施形態は、例えば防犯等の用途に用いられる画像記録システムであって、例えば入口やエレベータかご内等の天井付近に設置されたカメラにより撮像された画像を記録する画像記録システムに対して本発明を適用した場合の実施の形態である。
【００２３】
また、図１は実施形態に係る画像記録システムを示す図であり、図２は当該画像記録システムにおける画像記録動作を示すタイミングチャートである。
【００２４】
図１（ａ）に示すように実施形態に係る画像記録システムＳは、ＣＣＤ（charge-coupled device）等からなる情報取得手段の一例及び撮像手段の一例としてのカメラ１と、例えば所定記録容量のＦＩＦＯ（First-In, First-Out）メモリ等からなる一時記憶手段の一例としてのバッファメモリ２と、実施形態に係る画像記録システムＳにおける電源管理等の処理を統括的に実行する制御手段の一例としてのマイコン（Micro computer）３と、画像圧縮・記録制御部４と、例えばハードディスクを含むハードディスクドライブ等からなる不揮発性の記録媒体５と、第１電力供給手段の一例としての主制御系電源部１０と、第２電力供給手段の一例としての画像処理系電源部１１と、により構成されている。
【００２５】
この構成において、カメラ１、バッファメモリ２及びマイコン３に対しては、主制御系電源部１０からの駆動電力Ｐmが、当該主制御系電源部１０自体の電源がオンとされた以降、常時供給されている。一方画像圧縮・記録制御部４及び記録媒体５には、主制御系電源部１０からの駆動電力Ｐmが、マイコン３の制御に基づく画像処理系電源部１１の動作により、必要に応じて駆動電力Ｐsとして供給される。
【００２６】
この構成においてカメラ１は、主制御系電源部１０からの駆動電力Ｐmにより駆動されている限りにおいて、その撮像範囲を撮像し、画像信号Ｓpicとしてバッファメモリ２に出力することを繰り返す。
【００２７】
これによりバッファメモリ２は、主制御系電源部１０からの駆動電力Ｐmにより、マイコン３からの制御信号Ｓcbに基づいて画像信号Ｓpicを所定時間記憶し、当該所定時間経過後に画像圧縮・記録制御部４に出力する。このときＦＩＦＯメモリであるバッファメモリ２は、先にカメラ１から入力されて記憶した画像信号Ｓpicから順に、上記所定時間経過後に画像圧縮・記録制御部４に出力する処理を、カメラ１から連続して入力されてくる画像信号Ｓpicに対して繰り返す。
【００２８】
一方、画像圧縮・記録制御部４は、画像処理系電源部１１からの駆動電力Ｐsにより駆動される。そして画像圧縮・記録制御部４は、マイコン３からの制御信号Ｓcpに基づき、バッファメモリ２から出力されてくる画像信号Ｓpicに対して順次所定の圧縮処理又はフォーマット変換処理等を施し、入力された画像信号Ｓpicに相当する記録信号Ｓrを生成して記録媒体５に出力する。これにより記録媒体５は、画像処理系電源部１１からの駆動電力Ｐsにより駆動され、画像圧縮・記録制御部４から出力されてくる記録信号Ｓrを不揮発性に記録する。
【００２９】
他方、主制御系電源部１０は、例えば画像記録システムＳの使用者によりそれ自体の電源がオンとされた後、上記駆動電力Ｐmを生成してカメラ１、バッファメモリ２、マイコン３及び画像処理系電源部１１に対してそれぞれ供給する。これにより画像処理系電源部１１は、マイコン３からの制御信号Ｓcsに基づき、上記駆動電力Ｐsを生成して画像圧縮・記録制御部４及び記録媒体５にそれぞれ供給する。なお、主制御系電源部１０自体に対して供給される駆動電力としては、例えば、いわゆる商用電源の他、蓄電池から供給される駆動電力が考えられる。
【００３０】
これらに対してマイコン３は、主制御系電源部１０からの駆動電力Ｐmにより常時動作状態にあり、上記制御信号Ｓcbを生成してバッファメモリ２に出力すると共に、後述するトリガ信号Ｓtrgに基づいて、上記制御信号Ｓcp及び制御信号Ｓcsを生成し、それぞれ画像圧縮・記録制御部４及び画像処理系電源部１１に出力する。これらによりマイコン３は、実施形態に係る画像記録システムＳの動作を統括制御する。
【００３１】
次に、図１（ａ）を用いて説明した構成を備える画像記録システムＳにおいて主としてマイコン３を中心として実行される、実施形態に係る画像記録動作について、具体的に図１及び図２を用いて説明する。なお図２において時間軸は図中下向きであり、また図中横方向は、画像信号Ｓpic又は記録信号Ｓrに含まれる画像の流れを例示している。
【００３２】
実施形態に係る画像記録動作では、図１（ｂ）に示すように、主制御系電源部１０の電源がオンとされると（図１（ｂ）ステップＳ１）、カメラ１、バッファメモリ２及びマイコン３が起動され、それぞれ、画像信号Ｓpicの生成及びそれの一時記憶並びに画像圧縮・記録制御部４への出力を行う（図１（ｂ）ステップＳ２）。
【００３３】
このときバッファメモリ２は、図２に例示するように、駆動電力Ｐmによりカメラ１と共に起動されると、カメラ１から画像信号Ｓpicとして出力されてきた例えば画像Ａを一時的に記憶し、上記所定時間Ｔだけ経過後に画像圧縮・記録制御部４に出力する動作を、カメラ１から連続して出力されてくる画像信号Ｓpicについて繰り返す。なおこの場合、画像圧縮・記録制御部４が起動しない間にバッファメモリ２から出力された画像信号Ｓpic（例えば図２に例示する画像Ａ）は、記録媒体５に記録されることなく消失することになる。
【００３４】
カメラ１及びバッファメモリ２を起動したマイコン３は、その後、外部からのトリガ信号Ｓtrgの入力があったか否かを監視している（図１（ｂ）ステップＳ３）。図１（ｂ）ステップＳ３の監視動作においてトリガ信号Ｓtrgの入力がない場合（図１（ｂ）ステップＳ３；ＮＯ）、マイコン３は当該監視動作を繰り返す。なお、バッファメモリ２に係る上記所定時間Ｔの長さと上記トリガ信号Ｓtrgの属性とは、例えばカメラ１の撮像対象の属性により異なるものである。この所定時間Ｔの長さとトリガ信号Ｓtrgの属性については、カメラ１の撮像対象の属性と共に、後ほど例を挙げて詳述する。
【００３５】
一方上記ステップＳ３の監視動作においてトリガ信号Ｓtrgの入力があった場合（図１（ｂ）ステップＳ３；ＹＥＳ）、マイコン３は次に、上記制御信号Ｓcsを生成して画像処理系電源部１１に出力し、上記駆動電力Ｐsの画像圧縮・記録制御部４及び記録媒体５への供給を開始させる（図１（ｂ）ステップＳ４）。これにより、当該画像圧縮・記録制御部４及び記録媒体５が起動され（図１（ｂ）ステップＳ５）、その起動のタイミング以降画像圧縮・記録制御部４へバッファメモリ２から出力されてきた画像信号Ｓpicに対する上記圧縮処理等及び記録信号Ｓrとしての記録媒体５への記録が行われる（図１（ｂ）ステップＳ６）。
【００３６】
その後マイコン３は、予め設定された時間の画像記録（図１（ｂ）ステップＳ６参照）が修了したら、画像圧縮・記録制御部４及び記録媒体５への駆動電力Ｐsの供給を停止させるべく画像処理系電源部１１をオフとする（図１（ｂ）ステップＳ７）。なお、このときの画像記録時間についても例えばカメラ１の撮像対象の属性により異なってくるので、これについても後ほど例を挙げて詳述する。
【００３７】
ここで上記ステップＳ４乃至ステップＳ６の動作が行われた場合、図２に例示するように、トリガ信号Ｓtrgが入力されて画像圧縮・記録制御部４及び記録媒体５が起動される前に撮像された画像Ｂであっても、バッファメモリ２に所定時間Ｔだけ一時記憶されている間に画像圧縮・記録制御部４及び記録媒体５が起動され、その起動後に画像圧縮・記録制御部４にバッファメモリ２から出力された場合は、当該画像Ｂに対応する記録信号Ｓrは記録媒体５に記録されることになる。
【００３８】
次にマイコン３は、主制御系電源部１０の電源がオフとされたか否かを確認し（図１（ｂ）ステップＳ８）、当該電源がオフとされた場合には（図１（ｂ）ステップＳ８；ＹＥＳ）そのまま実施形態に係る画像記録動作を終了し、一方当該電源がオフとされていない場合には（図１（ｂ）ステップＳ８；ＮＯ）、上記ステップＳ３に戻る。そしてマイコン３は、カメラ１及びバッファメモリ２の動作を継続させたまま、トリガ信号Ｓtrgの入力の監視を継続する。
【００３９】
次に、上記所定時間Ｔ、トリガ信号Ｓtrgの属性及び上記画像記録時間について、カメラ１の撮像対象の属性との関係により説明する。
【００４０】
実施形態に係る画像記録システムＳは、上述した構成により、画像記録システムＳ全体としての駆動電力の消費を抑制しつつ、画像圧縮・記録制御部４及び記録媒体５が動作している期間以外のタイミングにおいてカメラ１における撮像により取得された画像信号Ｓpic（例えば図２に例示する画像Ｂ）をも、記録媒体５への記録の対象としようとするものである。従って、この課題を考慮するとき、上記所定時間Ｔ、トリガ信号Ｓtrgの属性及び上記画像記録時間としては、例えば以下のようなものが考えられる。なお以下の表１において、「出力元」とはトリガ信号Ｓtrgの出力元（生成元）のことであり、「出力要因」とは当該出力元からトリガ信号Ｓtrgが出力される要因となる事象のことである。また「出力条件」とは当該出力元からトリガ信号Ｓtrgが出力されるタイミングに対応する事象の変化等であり、「記録対象」とは実施形態に係る画像の他に記録媒体５に記録するのが好適と考えられる記録対象である。
【００４１】
【表１】
2014036428.tif 000003
以上説明したように、実施形態に係る画像記録システムＳの構成及び動作によれば、カメラ１及びバッファメモリ２に対しては駆動電力Ｐmを常時供給すると共に、画像圧縮・記録制御部４又は記録媒体５に対しては記録信号Ｓrの生成時又はその記録時にのみ駆動電力Ｐsを供給するので、画像記録システムＳ全体としての電力消費を抑制しつつ、記録信号Ｓrの生成時又は記録時以外に撮像された画像をも記録の対象とすることができる。
【００４２】
また、トリガ信号Ｓtrgが入力されたときにマイコン３が起動されると共に、既定の基準に基づいて記録情報の生成又は記録を行うと判定された場合に画像圧縮・記録制御部４又は記録媒体５に対して駆動電力Ｐsを供給するので、画像記録システムＳ全体としての電力消費をより確実に抑制することができる。
【００４３】
更に、バッファメモリ２において、入力された画像信号Ｓpicを所定時間Ｔだけ記録した後に消去することを、連続して入力される画像信号Ｓpicに対して順次繰り返し、記録信号Ｓrを生成して記録すべきタイミングにおいてバッファメモリ２に記憶されている画像信号Ｓpicを読み出して記録信号Ｓrを生成して記録するので、バッファメモリ２の記憶容量を最小限としつつ、記録信号Ｓrの生成時又は記録時以外に取得された画像をも記録の対象とすることができる。
【００４４】
更にまた、所定時間Ｔが記録対象の属性に基づいて予め設定されているので、記録対象の属性に応じてバッファメモリ２の記憶容量を最小限とすることで、画像記録情システムＳ全体としての小型化及び安価化を図ることができる。
【００４５】
なお、上述した実施形態においては、防犯等の用途に用いられる画像記録システムＳに対して本発明を適用した場合について説明したが、本発明はこの他に、例えば、製造ラインの監視装置、いわゆるデータロガー又は車載用のドライブレコーダ等に対して同様に適用することも可能である。そして、これらの装置に本発明を適用した場合の上記所定時間Ｔ、トリガ信号Ｓtrgの属性及び上記画像記録時間の関係については、例えば以下の表２乃至表４の通りとなる。ここで、表２は上記製造ラインの監視装置に対して本発明を適用した場合の上記関係を例示する表であり、表３は上記データロガーに対して本発明を適用した場合の上記関係を例示する表であり、表４は上記ドライブレコーダに対して本発明を適用した場合の上記関係を例示する表である。また、表２乃至表４における「出力元」、「出力要因」、「出力条件」及び「記録対象」の意義は、それぞれ表１に示す場合と同様である。更に表４に示すドライブレコーダの場合において、記録対象における「速度情報」は加速度情報により示される加速度を積分して得られる情報であり、「位置情報」及び「操作履歴」はナビゲーションシステムから出力されて記録媒体５に記録されるものである。
【００４６】
【表２】
2014036428.tif 000004
【００４７】
【表３】
2014036428.tif 000005
【００４８】
【表４】
2014036428.tif 000006
更に、上述した実施形態に係る画像記録システムＳにおいては、トリガ信号Ｓtrgが入力された場合に画像圧縮・記録制御部４を起動して記録信号Ｓrの記録を開始するように構成した。しかしながらこの他に、駆動電力Ｐmによりマイコン３が起動された後、予め設定されている基準に基づいて記録信号Ｓrの生成等を行うか否かを判定し、当該生成等を行うと判定された場合に画像圧縮・記録制御部４及び記録媒体５への駆動電力Ｐsを供給するように構成することもできる。なおこの場合の予め設定された基準としては、例えば、仮にトリガ信号Ｓtrgが連続して発生したとすると、所定時間Ｔ及び記録時間によっては、それぞれのトリガ信号Ｓtrgに基づいて生成される記録信号Ｓrにおける画像の一部が互いに重複してしまう場合が想定される。このとき、生成される記録信号Ｓrにおける画像の大部分が重複しているような場合では、記録媒体５の記録容量を無駄に使用してしまうことを防止すべく、重複する部分に対応する記録信号Ｓrの生成又は記録媒体５への記録を行わないよう制御すること等が挙げられる。
【００４９】
この構成によれば、既定の基準に基づいて記録信号Ｓrの生成等を行うと判定された場合に画像圧縮・記録制御部４等に対して駆動電力Ｐsを供給するので、画像記録システムＳ全体としての電力消費をより確実に抑制することができる。
【００５０】
更に、図１（ｂ）に示したフローチャートに対応するプログラムをインターネット等のネットワークを介して記録しておき、又は光ディスク等の記録媒体に記録しておき、これらを例えば汎用のマイクロコンピュータ等により読み出して実行することにより、当該マイクロコンピュータ等を実施形態に係るマイコン３として機能させることも可能である。
【産業上の利用可能性】
【００５１】
以上夫々説明したように、本発明は画像記録システムの分野に利用することが可能であり、特に長期間に渡って画像等を繰り返して記録しておくことが求められる画像記録システムの分野に適用すれば特に顕著な効果が得られる。
【符号の説明】
【００５２】
１    カメラ
２    バッファメモリ
３    マイコン
４    画像圧縮・記録制御部
５    記録媒体
１０    主制御系電源部
１１    画像処理系電源部
Ｓ    画像記録システム
Ｐm    駆動電力
Ｐs    駆動電力
Ｓpic    画像信号
Ｓr    記録信号
Ｓcp、Ｓcs、Ｓcb    制御信号
Ｓtrg    トリガ信号
【図１】
2014036428.tif 000007
【図２】
2014036428.tif 000008